(57)【特許請求の範囲】
【請求項１】
梁主筋が長さ方向両端から突出されるとともに、スラブ接続筋が側面から突出されたフルプレキャスト梁部と、
少なくとも該フルプレキャスト梁部の長さ方向一端に一体的に、当該フルプレキャスト梁部の側面に沿って突出形成され、上記梁主筋を挟む配置で梁主筋接合用空間を形成する左右一対の梁端堰部と、
網状可撓性面材からなり、上記梁端堰部上に一体的に連設されて、上記梁主筋接合用空間を外部から仕切る仕切り部材とを備えたことを特徴とするプレキャストコンクリート製梁部材。
【請求項２】
前記仕切り部材には、スラブ接続筋が配筋されることを特徴とする請求項１に記載のプレキャストコンクリート製梁部材。
【請求項３】
２つの前記フルプレキャスト梁部が、これらフルプレキャスト梁部間に露出される梁主筋を介して一体的に連結されたことを特徴とする請求項１または２に記載のプレキャストコンクリート製梁部材。
【請求項４】
前記フルプレキャスト梁部間に露出される梁主筋位置に、当該梁主筋と直交する方向の梁主筋が配筋されることを特徴とする請求項３に記載のプレキャストコンクリート製梁部材。
【請求項５】
前記フルプレキャスト梁部間に露出される梁主筋位置に、柱フープ筋が配筋されることを特徴とする請求項３または４に記載のプレキャストコンクリート製梁部材。
【発明の詳細な説明】
【技術分野】
【０００１】
本発明は、鉄筋が錯綜する柱梁接合部での配筋作業を軽減するのに適した形態を備え、柱梁接合部周りの梁主筋の配筋を効率よく実施することが可能で、施工効率を向上できるプレキャストコンクリート製梁部材に関する。
【背景技術】
【０００２】
プレキャストコンクリート製梁部材として、従来例えば特許文献１が知られている。特許文献１では、下端主筋と剪断補強筋とが打ち込まれており、柱梁接合部の両側方に直線状に延びて配設されて、コンクリートの充填により柱と一体化されるＵ字型プレキャストコンクリート梁部材であって、該柱梁接合部に位置する中央部分は前記下端主筋だけが連続して横断し、プレキャストコンクリート部分は２分されてその柱側端部は柱端で止まっているように構成されている。
【０００３】
これにより、その梁長の中央部分に位置する柱梁接合部に相当する部位には、プレキャストコンクリート部分は設けられておらず、当該中央部分には下端主筋のみが露出して柱梁接合部を貫通するようになっており、上記プレキャストコンクリート部分は２分されているものの上記下端主筋により繋がれて単一の部材として形成されているので、施工時に柱梁接合部内で下端主筋同士を接合する必要はなく、もって当該梁部材の製作時において下端主筋の位置精度管理は簡易ですみ、可及的なローコスト化及び省力化が図れる。また、梁部材の応力が最も大きくなって梁主筋量を決定づける要因となる当該梁部材の柱端において、下端主筋は連続して柱梁接合部を貫通するからその位置が上方に上がることがなく、曲げ強度の低下を防止できるようになっている。
【特許文献１】特開２００１−２０７５２８号公報
【発明の開示】
【発明が解決しようとする課題】
【０００４】
よく知られているように、柱梁接合部における鉄筋の錯綜は、施工作業をきわめて煩雑化している。背景技術のプレキャストコンクリート製梁部材にあっても、正面断面がＵ字型であって底部を有することから、柱梁接合部に設置する際には、柱主筋の配筋と相前後して建て込む必要がある。柱主筋が先に建て込まれているときには、これら柱主筋の間に下端主筋を通しつつ、柱梁接合部に吊り降ろす必要がある。他方、先にプレキャストコンクリート製梁部材を建て込んだ場合には、下端主筋の間に通しながら柱主筋を吊り降ろして建て込む必要がある。また、梁の上端主筋の配筋についても、柱主筋の建て込みと相前後して作業が行われ、柱主筋を先に建て込んだときは、Ｕ字型プレキャストコンクリート梁部材側から柱梁接合部へ向かってスライド移動させて挿入する作業となり、上端主筋を先に建て込んだ場合には、下端主筋に対する場合と同様に、上端主筋の間に通しながら柱主筋を建て込まなければならない。
【０００５】
このように、柱梁接合部において配筋作業を実施することを前提としたプレキャストコンクリート製梁部材の構造では、鉄筋を錯綜状態に組み上げていくことから施工効率が良くないという課題があった。
【０００６】
本発明は上記従来の課題に鑑みて創案されたものであって、鉄筋が錯綜する柱梁接合部での配筋作業を軽減するのに適した形態を備え、柱梁接合部周りの梁主筋の配筋を効率よく実施することが可能で、施工効率を向上できるプレキャストコンクリート製梁部材を提供することを目的とする。
【課題を解決するための手段】
【０００７】
本発明にかかるプレキャストコンクリート製梁部材は、梁主筋が長さ方向両端から突出されるとともに、スラブ接続筋が側面から突出されたフルプレキャスト梁部と、少なくとも該フルプレキャスト梁部の長さ方向一端に一体的に、当該フルプレキャスト梁部の側面に沿って突出形成され、上記梁主筋を挟む配置で梁主筋接合用空間を形成する左右一対の梁端堰部と、網状可撓性面材からなり、上記梁端堰部上に一体的に連設されて、上記梁主筋接合用空間を外部から仕切る仕切り部材とを備えたことを特徴とする。
【０００８】
前記仕切り部材には、スラブ接続筋が配筋されることを特徴とする。
【０００９】
２つの前記フルプレキャスト梁部が、これらフルプレキャスト梁部間に露出される梁主筋を介して一体的に連結されたことを特徴とする。
【００１０】
前記フルプレキャスト梁部間に露出される梁主筋位置に、当該梁主筋と直交する方向の梁主筋が配筋されることを特徴とする。
【００１１】
前記フルプレキャスト梁部間に露出される梁主筋位置に、柱フープ筋が配筋されることを特徴とする。
【発明の効果】
【００１２】
本発明にかかるプレキャストコンクリート製梁部材にあっては、鉄筋が錯綜する柱梁接合部での配筋作業を軽減するのに適した形態を備えていて、柱梁接合部周りの梁主筋の配筋を効率よく実施することができ、施工効率を向上することができる。
【発明を実施するための最良の形態】
【００１３】
以下に、本発明にかかるプレキャストコンクリート製梁部材の好適な実施形態を、添付図面を参照して詳細に説明する。本実施形態にかかるプレキャストコンクリート製梁部材１は基本的には、梁主筋５が長さ方向両端から突出されるとともに、スラブ接続筋６が側面２ａから突出されたフルプレキャスト梁部２と、少なくともフルプレキャスト梁部２の長さ方向一端に一体的に、当該フルプレキャスト梁部２の側面２ａに沿って突出形成され、梁主筋５を挟む配置で梁主筋接合用空間Ｓを形成する左右一対の梁端堰部３と、網状可撓性面材からなり、梁端堰部３上に一体的に連設されて、梁主筋接合用空間Ｓを外部から仕切る仕切り部材４とを備えて構成される。仕切り部材４には、スラブ接続筋６が配筋される。
【００１４】
プレキャストコンクリート製梁部材１は、柱間スパンに沿う一対の柱７の上端間に掛け渡される長さ寸法で形成される。プレキャストコンクリート製梁部材１全体は、必要な梁強度を確保できるコンクリートで形成され、工場や現場サイトで製作される。プレキャストコンクリート製梁部材１は、梁中央部に位置されるフルプレキャスト梁部２と、プレキャスト梁部２両端の梁端部に位置される梁端堰部３とが一体成形されて形成される。フルプレキャスト梁部２は柱間スパン方向に沿って長い直方体状に形成され、その内部には、上端主筋、下端主筋などの梁主筋５およびせん断補強筋８、その他必要な配筋が埋設される。上端主筋および下端主筋からなる梁主筋５は、フルプレキャスト梁部２の長さ方向両端の端面２ｂから外方へ向かって突出される。フルプレキャスト梁部２の梁せいは、柱７の上端に設置した状態で、スラブ天端Ｔに達する寸法に設定される。
【００１５】
フルプレキャスト梁部２に一体成形される梁端堰部３は、フルプレキャスト梁部２の下端から、スラブコンクリートがその上に打設される半プレキャスト製などのスラブ部材９の設置高さ位置に達する高さ寸法の板状に形成される。梁端堰部３は、フルプレキャスト梁部２両端それぞれの端面２ｂの左右両端縁から左右一対で、梁主筋５を左右から挟む配置で当該フルプレキャスト梁部２の側面２ａに沿って互いに平行に柱梁接合部１０へ向かって突出される。そしてこれら梁端堰部３は、フルプレキャスト梁部２の端面２ｂとで取り囲んで、梁せい方向に貫通しかつ柱梁接合部１０に向かって開放された梁主筋接合用空間Ｓを形成する。
【００１６】
この梁主筋接合用空間Ｓ内部には、フルプレキャスト梁部２から突出された梁主筋５が位置される。これら梁主筋接合用空間Ｓ内に露出された梁主筋５にはせん断補強筋８が配筋される。また、これら梁主筋５は、柱梁接合部１０に配置される梁用鉄筋に対し、スリーブジョイントやネジ継ぎ手を介して接合される。また梁端堰部３には、コンクリートの打設に際して梁主筋接合用空間Ｓを封鎖するために、下方から補強リブ１１ａ付きの転用可能な底型枠１１が着脱自在に取り付けられる。
【００１７】
フルプレキャスト梁部２にはその長さ方向に沿う側面２ａに、梁端堰部３の上端３ａと面一で連続する段部２ｃが形成され、これら段部２ｃおよび梁端堰部上端３ａには、スラブ部材９の端縁が一連に係止される。梁端堰部上端３ａには、当該梁端堰部３間の梁主筋接合用空間Ｓを外部から仕切るために、網状可撓性面材からなる仕切り部材４が設けられる。仕切り部材４は、梁端堰部上端３ａから少なくともスラブ天端Ｔに達する高さ寸法で形成される。当該高さ寸法よりも大きくして、スラブ側に折り曲げるようにしても良い。本実施形態にあっては、仕切り部材４として、ラス網が用いられ、このラス網はその上方部分が梁端堰部上端３ａから上方へ突出されるとともに、その下方部分は梁端堰部３内に埋設される。
【００１８】
さらにフルプレキャスト梁部２の側面２ａには、段部２ｃよりも上方位置からスラブ側へ突出させて、スラブ部材９上に打設されるスラブコンクリートに埋設されることで床とプレキャストコンクリート製梁部材１とを接続するスラブ接続筋６が複数突出される。また、仕切り部材４にも、これに形成した穴を介してスラブ接続筋６が配筋される。これらスラブ接続筋６は図示しない固定金具で仕切り部材４に固定される。
【００１９】
本実施形態にかかるプレキャストコンクリート製梁部材１の作用について説明すると、フルプレキャスト梁部２の両端に、梁主筋接合用空間Ｓを区画する左右一対の梁端堰部３が一体成形され、フルプレキャスト梁部２の端面２ｂからは梁主筋５が梁主筋接合用空間Ｓ内に突出され、フルプレキャスト梁部２の側面２ａからはスラブ接続筋６が突出され、さらに、梁端堰部３の上端３ａに仕切り部材４が設けられたプレキャストコンクリート製梁部材１を工場や現場サイトで製作する。
【００２０】
施工に際しては、プレキャストコンクリート製梁部材１を、柱間スパンに沿う一対の柱梁接合部１０間に吊り込んで設置する。この際、梁主筋接合用空間Ｓを備えているので、柱梁接合部１０の配筋は、プレキャストコンクリート製梁部材１の建て込み前に施工しておいても、建て込み後に施工しても良い。次いで、柱梁接合部１０の梁用鉄筋とプレキャストコンクリート製梁部材１の梁主筋５とをスリーブジョイントなどを介して接合する。また、仕切り部材４にスラブ接続筋６を配筋する。その後、梁端堰部３に下方から底型枠１１を取り付けて、梁主筋接合用空間Ｓの下方を封鎖する。次いで、柱梁接合部１０からプレキャストコンクリート製梁部材１の梁主筋接合用空間Ｓにわたってコンクリートを打設する。これにより、梁を構築することができる。
【００２１】
他方、プレキャストコンクリート製梁部材１の梁端堰部上端３ａからフルプレキャスト梁部２の段部２ｃに係止してスラブ部材９を設置し、このスラブ部材９上に、フルプレキャスト梁部２および仕切り部材４上端までスラブコンクリートを打設する。これにより、スラブ接続筋６を介して梁と接続しつつ、床を構築することができる。梁と床の構築順序はどちらを先行しても、同時であっても良い。
【００２２】
以上説明した本実施形態にかかるプレキャストコンクリート製梁部材１にあっては、梁端部に梁主筋接合用空間Ｓを区画する左右一対の梁端堰部３を設けたので、鉄筋が錯綜する柱梁接合部１０に配筋される梁用鉄筋と、フルプレキャスト梁部２に埋設した梁主筋５との接合作業を、柱梁接合部１０を避けた梁端部で行うことができ、柱梁接合部１０周りの梁主筋５の配筋作業を効率よく実施することができる。また、梁主筋接合用空間Ｓは一対の梁端堰部３で区画されて梁せい方向に貫通しているので、柱梁接合部１０に対する配筋前はもちろんのこと、配筋完了後であってもプレキャストコンクリート製梁部材１を容易に建て込むことができ、言い換えれば、柱梁接合部１０の配筋作業状態に対し、プレキャストコンクリート製梁部材１をいつでも柱７間に建て込むことができ、施工作業自由度を格段に向上することができる。
【００２３】
また、フルプレキャスト梁部２から梁主筋接合用空間Ｓに梁主筋５を突出させたので、柱梁接合部１０の梁用鉄筋との接合を容易に行うことができる。特に、梁主筋５と柱梁接合部１０の梁用鉄筋との接合にスリーブジョイントなどを使用するようにしたので、柱梁接合部１０の梁用鉄筋との位置的干渉を防止することができ、当該構成によっても、柱梁接合部１０の配筋状態にかかわらず、プレキャストコンクリート製梁部材１をいつでも自由に建て込むことができる。
【００２４】
また、梁端堰部３の上端３ａに、梁主筋接合用空間Ｓを外部から仕切る仕切り部材４を設けたので、スラブと梁とでコンクリートを容易に打ち分けることができる。梁には、それに必要な強度を付与できるコンクリートを打設する必要がある一方で、スラブに対しては梁よりも低強度のコンクリートを打設すればよい。また、スラブコンクリートの打設量は大量である。梁とスラブとで打ち分けができないと、梁用のコンクリートをスラブにも大量に打設することとなり、コストアップとなる。本実施形態にあっては仕切り部材４により打ち分けができるので、スラブに対し梁用のコンクリートを打設する必要がなくて、大幅なコストダウンを達成することができる。フルプレキャスト梁部２の上端をスラブ天端Ｔ位置に設定したので、これによっても適切に梁とスラブの間でのコンクリートの打ち分けを確保することができる。
【００２５】
また、フルプレキャスト梁部２からスラブ接続筋６を突出させたので、床と梁との接合強度を十分に確保することができる。さらに、梁端堰部上端３ａからフルプレキャスト梁部２の段部２ｃにわたってスラブ部材９を係止させることができ、スラブ施工を効率化できる。梁主筋接合用空間Ｓを下方から封鎖する底型枠１１を梁端堰部３に着脱自在としたので、当該底型枠１１を転用でき、省資源化できる。
【００２６】
図５には、上記実施形態の第１変形例が示されている。第１変形例では、梁端部となるフルプレキャスト梁部２の他端２ｄから梁主筋５が突出される。すなわち、第１変形例にあっては、フルプレキャスト梁部２の一端に、上記梁端堰部３が一体成形される一方で、他端２ｄは、柱７の上端に設置できるように梁端部まで延長形成される。そしてこの他端２ｄから柱梁接合部１０内に向けて上端主筋および下端主筋からなる梁主筋５が突出される。梁主筋５には、柱梁接合部１０のコンクリートに定着される定着金物１２が設けられる。第１変形例によれば、特に隅柱に適用されるプレキャストコンクリート製梁部材１に関し、当該隅柱での梁主筋５の定着を確保すべき定着部材１２の設置を、フルプレキャスト梁部２から突出させた梁主筋５によって確保することができ、施工性を向上することができる。
【００２７】
図６には、上記実施形態の第２変形例が示されている。第２変形例では、２つのフルプレキャスト梁部２が、これらフルプレキャスト梁部２間に露出される梁主筋５を介して一体的に連結される。これらフルプレキャスト梁部２の互いに連結される一端２ｅ同士は、柱７上端に設置できるように梁端部まで延長形成される一方で、それぞれのフルプレキャスト梁部２の他端には上記梁端堰部３が一体形成される。
【００２８】
また、フルプレキャスト梁部２間に露出される梁主筋５位置には、柱梁接合部１０の配筋となる当該梁主筋５と直交する方向の梁主筋１３が先組みして配筋され、当該プレキャストコンクリート製梁部材１を柱７上に吊り降ろすことで、直交方向に配設される他のプレキャストコンクリート製梁部材１の梁端堰部３に突出する梁主筋５に対して、当該梁主筋１３の接合が可能に構成される。また、フルプレキャスト梁部２間に露出される梁主筋５位置には、柱梁接合部１０の配筋となる柱フープ筋１４が先組みして配筋され、当該プレキャストコンクリート製梁部材１を柱７上に吊り降ろすことで、柱７上に突出される柱主筋に対して、柱フープ筋１４の配筋が可能に構成される。
【００２９】
第２変形例は、２つの梁を一連に形成して３つの柱７間に一挙に架設する形態のプレキャストコンクリート製梁部材１であって、中央に位置する柱梁接合部１０に対しては従来と遜色なく施工できる一方で、左右両側に位置する柱梁接合部１０に対しては、梁主筋接合用空間Ｓにより、柱梁接合部１０周りの梁主筋５の配筋を効率よく施工することができる。また、フルプレキャスト梁部２間に露出される梁主筋５位置に、当該梁主筋５と直交する方向の梁主筋１３や柱フープ筋１４を予め配筋しておくようにしたので、当該プレキャストコンクリート製梁部材１の吊り下ろしにより、柱梁接合部１０における直交する方向の梁の柱主筋や直下の柱７の柱主筋との接合作業を効率よく行うことができる。以上説明したいずれの変形例にあっても、上記実施形態と同様な作用効果を奏することはもちろんである。
【図面の簡単な説明】
【００３０】
【図１】本発明にかかるプレキャストコンクリート製梁部材の好適な一実施形態を示す平面図である。
【図２】図１に示したプレキャストコンクリート製梁部材の要部拡大斜視図である。
【図３】図１中、Ａ−Ａ線矢視断面図である。
【図４】図１中、Ｂ−Ｂ線矢視断面図である。
【図５】本発明にかかるプレキャストコンクリート製梁部材の第１変形例を示す平面図である。
【図６】本発明にかかるプレキャストコンクリート製梁部材の第２変形例を示す平面図である。
【符号の説明】
【００３１】
１  プレキャストコンクリート製梁部材
２  フルプレキャスト梁部
２ａ  プレキャスト梁部の側面
３  梁端堰部
３ａ  梁端堰部の上端
４  仕切り部材
５  梁主筋
６  スラブ接続筋
１３  梁主筋
１４  柱フープ筋
Ｓ  梁主筋接合用空間
【図１】
0004727492.tif 000002
【図２】
0004727492.tif 000003
【図３】
0004727492.tif 000004
【図４】
0004727492.tif 000005
【図５】
0004727492.tif 000006
【図６】
0004727492.tif 000007